(57)【特許請求の範囲】
【請求項１】
固定フレーム、移動フレーム、第１平行牽引紐、折り畳み面を含み、
前記固定フレームは、水平面と平行な上フレーム及び下フレーム、水平面と垂直な左フレーム及び右フレームからなり、前記上フレーム、左フレーム、下フレーム、および、右フレームが、矩形状となるように接続され、
前記移動フレームは、前記上フレームと垂直に前記固定フレームのフレーム範囲内で平行移動し、
前記移動フレームにおける一方のフレームは第１中空構造を備え、
前記第１中空構造の先端と下端には第１上ローラと第１下ローラがそれぞれ設けられ、前記第１平行牽引紐は、前後が接続されて前記第１上ローラと第１下ローラに交差して巻き付けられ、
前記上フレームには上レールが設けられ、前記下フレームには下レールが設けられ、
前記上レールには上ラックが設けられ、前記下レールには下ラックが設けられ、
前記第１中空構造の先端と下端には上下２つの開口がそれぞれ備えられ、前記上ラックの一端は、第１上開口から第１中空構造に進入して第１平行牽引紐に接続され、
前記下ラックの一端は、第１下開口から第１中空構造に進入して第１平行牽引紐に接続され、
前記上レール及び下レールに対する前記上ラック及び前記下ラックの配置長さは同一であり、
前記折り畳み面は、移動する両側のフレームの間に設けられ、
前記固定フレームの上フレームと下フレームは、それぞれ、２つの管体を軸方向に覆設し、一方の管体に他方の管体をスライド可能に挿入することで、長さを変更可能な伸縮式構造を構成していることを特徴とする伸縮可能な浴室ドア。
【請求項２】
前記移動フレームの左フレームは前記固定フレームの左フレームに固定され、前記上ラックの一端は第１上開口から第１中空構造に進入して第１平行牽引紐に接続され、前記上ラックの他端は移動フレームにおける左フレームの先端に固定接続され、
前記下ラックの一端は第１下開口から第１中空構造に進入して第１平行牽引紐に接続され、前記下ラックの他端は移動フレームにおける左フレームの下端に固定接続され、
前記移動フレームのうち中空構造を有する右フレームは伸縮移動することを特徴とする請求項１記載の伸縮可能な浴室ドア。
【請求項３】
前記移動フレームの左フレームは、ロック構造によって前記固定フレームの左フレームに固定接続されることを特徴とする請求項２記載の伸縮可能な浴室ドア。
【請求項４】
前記移動フレームの右フレームは前記第１中空構造を備え、前記移動フレームの左フレームは第２中空構造を備え、前記第２中空構造の先端と下端には第２上開口と第２下開口がそれぞれ備えられ、
前記第２中空構造の先端と下端には第２上ローラと第２下ローラがそれぞれ設けられ、第２平行牽引紐は、前後が接続されて第２上ローラと第２下ローラに交差して巻き付けられ、
前記上ラックの一端は前記第１平行牽引紐に接続され、前記上ラックの他端は前記第２平行牽引紐に接続され、
前記下ラックの一端は前記第１平行牽引紐に接続され、前記下ラックの他端は前記第２平行牽引紐に接続されることを特徴とする請求項１記載の伸縮可能な浴室ドア。
【請求項５】
前記上ラックと下ラックの長さは同一であり、且つ、前記第１中空構造に対する上ラックと下ラックの進入長さが同一であることを特徴とする請求項１〜３のいずれかに記載の伸縮可能な浴室ドア。
【請求項６】
前記第１上ローラと前記第１下ローラは、固定軸によって前記移動フレームにおける一
方のフレームの内壁に固定されることを特徴とする請求項１記載の伸縮可能な浴室ドア。
【請求項７】
前記第１中空構造のうち前記上ラックと前記下ラックが進入する開口箇所には、ラックが開口箇所から滑らかにフレーム内の中空構造に進入するよう、円弧状のガードエッジが設けられることを特徴とする請求項１記載の伸縮可能な浴室ドア。
【請求項８】
前記折り畳み面は、折り畳み式の防水シートであることを特徴とする請求項１記載の伸縮可能な浴室ドア。
【請求項９】
前記固定フレームの下フレームは防水プレートに接続され、前記防水プレートの高さは前記固定フレームの下フレームの高さよりも高いことを特徴とする請求項１記載の伸縮可能な浴室ドア。
【発明の詳細な説明】
【技術分野】
【０００１】
本発明は、伸縮可能な浴室ドアに関する。
【背景技術】
【０００２】
現在市販されている浴室ドアには、主としてガラス製の回転ドアと引き戸の２種類が存在する。ガラス製の回転ドアや引き戸は、体積が嵩む、重い、壊れやすい等の特性から、取り付け、使用、運搬の過程で生産者や消費者に一連の不都合や危険をもたらす恐れがある。また、多くの梱包材が必要となり、運搬コストが高騰するほか、取り付け空間を広く取らねばならない。取り付け空間が狭い場合には浴室ドアの取り付けが制限されることから、狭小空間での取り付けに適した浴室ドアの研究開発が早急に解決を要する課題となっている。
【発明の概要】
【発明が解決しようとする課題】
【０００３】
本発明は、従来の浴室ドアは体積が嵩み、壊れやすく、取り付けに不便であり、狭小空間での取り付けに適さないとの技術的課題を解決するために、伸縮可能な浴室ドアを提供することを目的とする。
【課題を解決するための手段】
【０００４】
本発明の具体的技術方案は以下である。
【０００５】
伸縮可能な浴室ドアであって、固定フレーム、移動フレーム、第１平行牽引紐、折り畳み面を含み、前記固定フレームは、水平面と平行な上フレーム及び下フレーム、水平面と垂直な左フレーム及び右フレームからなり、前記上フレーム、左フレーム、下フレーム、右フレームは互いに前後が順に接続され、前記移動フレームは、前記上フレームと垂直に前記固定フレームのフレーム範囲内で平行移動し、前記移動フレームにおける一方のフレームは第１中空構造を備え、前記第１中空構造の先端と下端には第１上ローラと第１下ローラがそれぞれ設けられ、前記第１平行牽引紐は、前後が接続されて前記第１上ローラと第１下ローラに交差して巻き付けられ、前記上フレームには上レールが設けられ、前記下フレームには下レールが設けられ、前記上レールには上ラックが設けられ、前記下レールには下ラックが設けられ、前記第１中空構造の先端と下端には上下２つの開口がそれぞれ備えられ、前記上ラックの一端は、第１上開口から第１中空構造に進入して第１平行牽引紐に接続され、前記下ラックの一端は、第１下開口から第１中空構造に進入して第１平行牽引紐に接続され、前記上レール及び下レールに対する前記上ラック及び前記下ラックの配置長さは同一であり、前記折り畳み面は、移動する両側のフレームの間に設けられる。
【０００６】
更に、前記移動フレームの左フレームは前記固定フレームの左フレームに固定され、前記上ラックの一端は第１上開口から第１中空構造に進入して第１平行牽引紐に接続され、前記上ラックの他端は移動フレームにおける左フレームの先端に固定接続され、  前記下ラックの一端は第１下開口から第１中空構造に進入して第１平行牽引紐に接続され、前記下ラックの他端は移動フレームにおける左フレームの下端に固定接続され、  前記移動フレームのうち中空構造を有する右フレームは伸縮移動する。
【０００７】
更に、前記移動フレームの左フレームは、ロック構造によって前記固定フレームの左フレームに固定接続される。
【０００８】
更に、前記移動フレームの右フレームは前記第１中空構造を備え、前記移動フレームの左フレームは第２中空構造を備え、前記第２中空構造の先端と下端には第２上開口と第２下開口がそれぞれ備えられ、前記第２中空構造の先端と下端には第２上ローラと第２下ローラがそれぞれ設けられ、第２平行牽引紐は、前後が接続されて第２上ローラと第２下ローラに交差して巻き付けられ、前記上ラックの一端は前記第１平行牽引紐に接続され、前記上ラックの他端は前記第２平行牽引紐に接続され、前記下ラックの一端は前記第１平行牽引紐に接続され、前記下ラックの他端は前記第２平行牽引紐に接続される。
【０００９】
更に、前記上ラックと下ラックの長さは同一であり、且つ、前記第１中空構造に対する上ラックと下ラックの進入長さが同一である。
【００１０】
更に、前記第１上ローラと前記第１下ローラは、固定軸によって前記移動フレームにおける一方のフレームの内壁に固定される。
【００１１】
更に、中空構造のうち前記上ラックと前記下ラックが進入する開口箇所には、ラックが開口箇所から滑らかにフレーム内の前記第１中空構造に進入するよう、円弧状のガードエッジが設けられる。
【００１２】
更に、前記固定フレームの上フレームと下フレームは、複数の管体を軸方向に覆設することで長さを変更可能な伸縮式構造を構成している。
【００１３】
更に、前記折り畳み面は、折り畳み式のナノ防水シートである。
【００１４】
更に、前記固定フレームの下フレームは防水プレートに接続され、前記防水プレートの高さは前記固定フレームの下フレームの高さよりも高い。
【発明の効果】
【００１５】
従来技術と比較して、本発明が提供する伸縮可能な浴室ドアは主に以下のような有益な効果を有する。即ち、移動フレームに折り畳み面を設けて前記移動フレームを前記固定フレームの範囲内で移動させることで、前記移動フレームの押し引きが容易となる。また、前記折り畳み面は質量が小さく、折り畳み式のナノ防水シートで製造可能なことから、製造コストが抑えられるほか、取り付けが容易となる。また、前記移動フレームは中空構造を備える。前記第１平行牽引紐は前記第１上ローラと第１下ローラに巻き付けられ、前記上ラックと前記下ラックは、前記中空構造に対する進入長さが同一となるよう前記平行牽引紐に接続される。また、前記上レール及び下レールに対する前記上ラック及び前記下ラックの配置長さは同一である。このことから、前記移動フレームを押し引きの過程で平行に安定して移動させられるとの有益な技術的効果が得られる。
【図面の簡単な説明】
【００１６】
【図１】図１は、本発明の実施例１における伸縮可能な浴室ドアの構造図である。
【図２】図２は、本発明の実施例１における伸縮可能な浴室ドアの構造図である。
【図３】図３は、本発明の実施例１における移動フレームの収縮時の構造図である。
【図４】図４は、図３の部分拡大図である。
【図５】図５は、本発明の実施例１における移動フレームの開放時の構造図である。
【図６】図６は、図４の部分拡大図である。
【図７】図７は、本発明の実施例１における固定フレームの構造図である。
【図８】図８は、本発明の実施例２における伸縮可能な浴室ドアの構造図である。
【図９】図９は、本発明の実施例２における移動フレームを部分的に拡大した構造図である。
【発明を実施するための形態】
【００１７】
本発明の目的、技術方案及び利点をより明確にすべく、以下に図面と実施例を組み合わせて本発明につき更に詳細に説明する。なお、ここで述べる具体的実施例は本発明を説明するためのものにすぎず、本発明を限定する主旨ではないと解釈すべきである。
【００１８】
実施例１
【００１９】
図１〜図８を参照する。
【００２０】
本発明は、固定フレーム１、移動フレーム２、第１平行牽引紐３、折り畳み面４を含む伸縮可能な浴室ドアを提供する。前記固定フレーム１は、水平面と平行な上フレーム及び下フレーム、水平面と垂直な左フレーム及び右フレームからなり、前記上フレーム、左フレーム、下フレーム、右フレームは互いに前後が順に接続されている。前記移動フレーム２は、前記上フレームと垂直に前記固定フレーム１のフレーム範囲内で平行移動する。前記移動フレーム２における一方のフレームは第１中空構造１３を備える。前記第１中空構造１３の先端と下端には、第１上ローラ５と第１下ローラ６がそれぞれ設けられている。前記第１上ローラ５と前記第１下ローラ６は、固定軸によって前記移動フレーム２における一方のフレームの内壁に固定されている。
【００２１】
前記第１平行牽引紐３は前後が接続されており、前記第１上ローラ５と第１下ローラ６に交差して巻き付けられている。前記上フレームには上レールが設けられており、前記下フレームには下レールが設けられている。前記上レールには上ラック９が設けられており、前記下レールには下ラック１０が設けられている。前記第１中空構造１３の先端と下端には、上下２つの開口がそれぞれ備わっている。前記上ラック９の一端は、第１上開口７から第１中空構造１３に進入して第１平行牽引紐３に接続されている。前記下ラック１０の一端は、第１下開口８から第１中空構造１３に進入して第１平行牽引紐３に接続されている。前記上ラック９と下ラック１０の長さは同一であり、中空構造に対する上ラック９と下ラック１０の進入長さも同一である。また、前記上レールと下レールに対する前記上ラック９と前記下ラック１０の配置長さも同一である。前記折り畳み面４は、移動する両側のフレームの間に設けられている。前記折り畳み面４は折り畳み式のナノ防水シートである。
【００２２】
図２に示すように、前記移動フレーム２の左フレームは、ロック構造１１によって前記固定フレーム１の左フレームに固定される。図４に示すように、前記上ラック９の一端は第１上開口７から第１中空構造１３に進入して第１平行牽引紐３に接続され、前記上ラック９の他端は移動フレーム２における左フレームの先端に固定接続されている。前記下ラック１０の一端は第１下開口８から第１中空構造１３に進入して第１平行牽引紐３に接続され、前記下ラック１０の他端は移動フレーム２における左フレームの下端に固定接続されている。前記移動フレーム２のうち前記第１中空構造を有する右フレームは伸縮移動する。
【００２３】
第１中空構造１３のうち前記上ラック９と前記下ラック１０が進入する開口箇所には、ラックが開口箇所から滑らかにフレーム内の第１中空構造１３に進入するよう、円弧状のガードエッジ１２が設けられている。
【００２４】
ここで、図３に示すように、移動フレーム２の右フレームが右に引っ張られると、図４に示すように、前記上ラック９の可動端２２（前記上ラック９の可動端２２は、前記上ラック９と前記第１平行牽引紐３との接続部）が第１中空構造１３内で上方に運動する。また、前記第１平行牽引紐３は前記下ラック１０の可動端２３（前記下ラック１０の可動端２３は、前記下ラック１０と前記第１平行牽引紐３との接続部）を第１中空構造１３内で下方に運動させる。このとき、前記上ラック９と前記下ラック１０の運動距離は同一である。
【００２５】
図５に示すように、移動フレーム２の右フレームが左に押されると、図６に示すように、前記上ラック９の可動端２２が第１中空構造１３内で下方に運動する。また、前記第１平行牽引紐３は前記下ラック１０の可動端２３を第１中空構造１３内で上方に運動させる。このとき、前記上ラック９と前記下ラック１０の運動距離は同一である。
【００２６】
前記移動フレーム２の右フレームは、右方向へ引っ張られようと逆方向に押されようと、前記第１平行牽引紐３の作用によって常に平行に運動する。そのため、移動フレームのどの力点に力がかかったとしても、前記移動フレーム２は押し引きの双方において安定して平行移動する。更に、図７に示すように、前記固定フレーム１の上フレームと下フレームは、複数の管体を軸方向に覆設することで、長さを変更可能な伸縮式構造を構成している。前記固定フレーム１の上フレームと前記固定フレーム１の下フレームにはネジ孔が備わっており、実際の取り付け要求に基づいて、固定フレーム１の上フレームと下フレームを適切な幅に調整してから、ネジを締め付けることで上フレームと下フレームの２本の管体をそれぞれ固定する。従来技術の浴室ドアは幅が固定されており、調整不可能であったため、実際の取り付け過程で前記固定フレーム１の幅が実際の取り付け場所の幅に合わない場合に、幅が広すぎる或いは狭すぎるとの事態が発生していた。本発明ではこのような技術的課題を効果的に解決しており、実際の必要性に応じて固定フレーム１の幅を任意に調節可能としている。そのため、取り付けが容易であり、使用しやすいとの有益な技術的効果が奏される。
【００２７】
更に、図１に示すように、前記固定フレーム１の下フレームは防水プレート２０に接続されている。前記防水プレート２０はＬ型をなしている。前記Ｌ型の防水プレートは水平プレートと垂直プレートから構成され、前記防水プレート２０の垂直プレートの高さが前記固定フレーム１の下フレームの高さよりも高くなっている。これにより、固定フレーム１の内側から固定フレーム１の外側への水の流出を防止するとの有益な技術的効果が奏される。
【００２８】
更に、前記移動フレーム２には押し引きガイドプレート２１が設けられている。
【００２９】
実施例２
【００３０】
図８及び図９を参照する。
【００３１】
実施例１をベースに、本発明は伸縮可能な浴室ドアを提供する。実施例１では、前記移動フレーム２の右フレームが前記第１中空構造１３を備えていた。本実施例では、更に、前記移動フレーム２の左フレームが第２中空構造１４を備え、前記第２中空構造１４の先端と下端に第２上開口１７と第２下開口１８がそれぞれ備わっている。また、前記第２中空構造１４の先端と下端には、第２上ローラ１５と第２下ローラ１６がそれぞれ設けられている。第２平行牽引紐１９は前後が接続されており、第２上ローラ１５と第２下ローラ１６に交差して巻き付けられている。前記上ラック９の一端は前記第１平行牽引紐３に接続されており、前記上ラック９の他端は前記第２平行牽引紐１９に接続されている。前記下ラック１０の一端は前記第１平行牽引紐３に接続されており、前記下ラック１０の他端は前記第２平行牽引紐１９に接続されている。
【００３２】
本実施例の伸縮可能な浴室ドアでは、前記移動フレーム２の左フレームと右フレームがともに移動可能であり、両側への押し引きを実現する。前記移動フレーム両側の第１平行牽引紐３と第２平行牽引紐１９は、それぞれ移動フレーム２の左フレームと移動フレーム２の右フレームを引っ張るが、動作原理は実施例１と同様のためここでは詳述しない。なお、本実施例における両側移動の移動フレーム２によれば、実施例１における片側移動の移動フレーム２の２倍の伸縮幅を実現可能となるため、使用しやすく、適用範囲が広がるとの有益な技術的効果が奏される。
【００３３】
また、前記伸縮可能な浴室ドアの動作原理は、日除けタイプ、防水タイプ等のドアや窓に応用可能であり、本発明の動作原理に基づくその他タイプのドアや窓はいずれも本願の保護の範囲に含まれる。
【００３４】
なお、以上の実施例は本発明の技術方案を説明するためのものにすぎず、限定的意図はない。また、好ましい実施例を参照して本発明につき詳細に説明したが、当業者であれば本発明の技術方案について修正又は等価の置き換えが可能であり、本発明の技術方案の主旨及び範囲を逸脱しない限り、いずれも本発明の請求の範囲に含まれる。
【図１】
0006732016.tif 000002
【図２】
0006732016.tif 000003
【図３】
0006732016.tif 000004
【図４】
0006732016.tif 000005
【図５】
0006732016.tif 000006
【図６】
0006732016.tif 000007
【図７】
0006732016.tif 000008
【図８】
0006732016.tif 000009
【図９】
0006732016.tif 000010